【手続補正書】
【提出日】平成17年3月10日(2005.3.10)
【手続補正１】
【補正対象書類名】明細書
【補正対象項目名】特許請求の範囲
【補正方法】変更
【補正の内容】
【特許請求の範囲】
【請求項１】
患者に処方された複数の注射剤を特定するデータを含む注射処方データを取得する取得手段と、
前記取得された注射処方データに含まれる複数の注射剤の適切な混合順序を決定する決定手段と、
前記決定された混合順序をあらわす表示を表示する表示手段と、
を備えることを特徴とする注射剤混合支援装置。
【請求項２】
注射剤を特定するデータとその注射剤の混合順序を決定するためのデータとの対応関係を格納した記憶手段をさらに備え、
前記決定手段は、前記取得された注射処方データに含まれる複数の注射剤を特定するデータそれぞれに対応付けられた、前記混合順序を決定するためのデータに基づいて、前記複数の注射剤の適切な混合順序を決定することを特徴とする請求項１記載の注射剤混合支援装置。
【請求項３】
前記決定された混合順序をあらわす表示は、前記取得された注射処方データに含まれる複数の注射剤の名称を含むことを特徴とする請求項１記載の注射剤混合支援装置。
【請求項４】
前記決定された混合順序をあらわす表示は、前記取得された注射処方データに含まれる注射剤が輸液であることをあらわす表示を含むことを特徴とする請求項１記載の注射剤混合支援装置。
【請求項５】
前記決定された混合順序をあらわす表示は、前記取得された注射処方データに含まれる注射剤が単独投与を要することをあらわす表示を含むことを特徴とする請求項１記載の注射剤混合支援装置。
【請求項６】
前記決定された混合順序をあらわす表示は、前記取得された注射処方データに含まれる注射剤が適切な組み合わせでないことをあらわす表示を含むことを特徴とする請求項１記載の注射剤混合支援装置。
【請求項７】
前記混合順序を決定するためのデータは、その注射剤のｐＨ値であることを特徴とする請求項２記載の注射剤混合支援装置。
【請求項８】
前記記憶手段には、注射剤を特定するデータとその注射剤が輸液であるか否かを識別するデータとの対応関係がさらに格納されており、
前記決定手段は、前記混合順序を決定するためのデータと前記輸液であるか否かを識別するデータとに基づいて、前記複数の注射剤の適切な混合順序を決定することを特徴とする請求項２に記載の注射剤混合支援装置。
【請求項９】
前記記憶手段には、注射剤を特定するデータとその注射剤が単独投与を要するか否かを識別するデータとの対応関係がさらに格納されており、
前記決定手段は、前記混合順序を決定するためのデータと前記単独投与を要するか否かを識別するデータとに基づいて、前記複数の注射剤の適切な混合順序を決定することを特徴とする請求項２に記載の注射剤混合支援装置。
【請求項１０】
前記記憶手段には、注射剤を特定するデータとその注射剤が単独投与を要するか否かを識別するデータとの対応関係がさらに格納されており、
前記決定手段は、前記混合順序を決定するためのデータと前記輸液であるか否かを識別するデータと前記単独投与を要するか否かを識別するデータとに基づいて、前記複数の注射剤の適切な混合順序を決定することを特徴とする請求項８に記載の注射剤混合支援置。
【請求項１１】
前記表示手段は、輸液である注射剤については、その注射剤の名称が輸液であることを表す表示を表示するとともに、単独投与を要する注射剤については、その注射剤の名称が単独投与を要することをあらわす表示を表示することを特徴とする請求項１０に記載の注射剤混合支援装置。
【請求項１２】
前記記憶手段には、注射剤の組み合わせとその組み合わせが適切でない程度をあらわすデータとの対応関係がさらに格納されており、
前記注射剤の組み合わせとその組み合わせが適切でない程度をあらわすデータとの対応関係に基づいて、前記取得された注射処方データに含まれる複数の注射剤について、適切でない組み合わせが含まれるか否かを判定する判定手段をさらに備え、
前記表示手段は、前記適切でない組み合わせと判定された注射剤については、その注射剤が適切でない程度をあらわす表示を表示する請求項２に記載の注射剤混合支援装置。
【請求項１３】
前記記憶手段には、注射剤を特定するデータとその注射剤の使用にあたり注意すべき事項との対応関係がさらに格納されており、
前記表示手段は、前記複数の注射剤を特定するデータそれぞれに対応付けられた前記注射剤の使用にあたり注意すべき事項を表示することを特徴とする請求項２に記載の注射剤混合支援装置。
【請求項１４】
前記表示手段は、次に混合すべき注射剤について、その注射剤の名称を区別させるための表示を表示することを特徴とする請求項３に記載の注射剤混合支援装置。
【請求項１５】
次に混合しようとする注射剤を特定するためのデータを入力させる入力手段と、
前記入力された注射剤を特定するためのデータと次に混合すべき注射剤を特定するためのデータとを比較する比較手段をさらに備え、
前記表示手段は、前記比較結果が不一致であればその旨の表示を行うことを特徴とする請求項１に記載の注射剤混合支援装置。
【請求項１６】
配合変化の記録を行うために操作する操作手段と、
配合変化を記録する記録手段とをさらに備えることを特徴とする請求項１に記載の注射剤混合支援装置。
【請求項１７】
前記操作手段が操作されると、前記記録手段は前記複数の注射剤の組み合わせにより配合変化が生じたことを記録することを特徴とする請求項１６に記載の注射剤混合支援装置。
【請求項１８】
注射剤の組み合わせとその組み合わせが適切でない程度をあらわすデータとの対応関係を前記記憶手段に新たに登録するために操作する操作手段をさらに備えることを特徴とする請求項１２に記載の注射剤混合支援装置。
【請求項１９】
前記操作手段が操作されると、前記複数の注射剤を特定するデータにより特定される注射剤の組み合わせにより生じる配合変化を混合結果フラグにセットすることを特徴とする請求項１６に記載の注射剤混合支援装置。
【手続補正２】
【補正対象書類名】明細書
【補正対象項目名】０００７
【補正方法】変更
【補正の内容】
【０００７】
【課題を解決するための手段】
本発明に係る注射剤混合支援装置は、前記課題を解決するための手段として、患者に処方された複数の注射剤を特定するデータを含む注射処方データを取得する取得手段と、前記取得された注射処方データに含まれる複数の注射剤の適切な混合順序を決定する決定手段と、前記決定された混合順序をあらわす表示を表示する表示手段とを備える。
これにより、注射処方データに含まれる複数の注射剤の適切な混合順序が表示手段に表示されるので、短時間で的確に、混合順序の情報を得ることができる。
前記注射剤混合支援装置において、注射剤を特定するデータとその注射剤の混合順序を決定するためのデータとの対応関係を格納した記憶手段をさらに備え、前記決定手段は、前記取得された注射処方データに含まれる複数の注射剤を特定するデータそれぞれに対応付けられた、前記混合順序を決定するためのデータに基づいて、前記複数の注射剤の適切な混合順序を決定することが好ましい。
前記決定された混合順序をあらわす表示は、前記取得された注射処方データに含まれる複数の注射剤の名称、前記取得された注射処方データに含まれる注射剤が輸液であることをあらわす表示、前記取得された注射処方データに含まれる注射剤が単独投与を要することをあらわす表示、前記取得された注射処方データに含まれる注射剤が適切な組み合わせでないことをあらわす表示のうち少なくともいずれかを含むことが好ましい。
前記混合順序を決定するためのデータは、その注射剤のｐＨ値であることが好ましい。
前記記憶手段には、注射剤を特定するデータとその注射剤が輸液であるか否かを識別するデータとの対応関係がさらに格納されており、前記決定手段は、前記混合順序を決定するためのデータと前記輸液であるか否かを識別するデータとに基づいて、前記複数の注射剤の適切な混合順序を決定することが好ましい。
前記記憶手段には、注射剤を特定するデータとその注射剤が単独投与を要するか否かを識別するデータとの対応関係がさらに格納されており、前記決定手段は、前記混合順序を決定するためのデータと前記単独投与を要するか否かを識別するデータとに基づいて、前記複数の注射剤の適切な混合順序を決定することが好ましい。
前記記憶手段には、注射剤を特定するデータとその注射剤が単独投与を要するか否かを識別するデータとの対応関係がさらに格納されており、前記決定手段は、前記混合順序を決定するためのデータと前記輸液であるか否かを識別するデータと前記単独投与を要するか否かを識別するデータとに基づいて、前記複数の注射剤の適切な混合順序を決定することが好ましい。
この場合、前記表示手段は、輸液である注射剤については、その注射剤の名称が輸液であることを表す表示を表示するとともに、単独投与を要する注射剤については、その注射剤の名称が単独投与を要することをあらわす表示を表示することが好ましい。
前記記憶手段には、注射剤の組み合わせとその組み合わせが適切でない程度をあらわすデータとの対応関係がさらに格納されており、前記注射剤の組み合わせとその組み合わせが適切でない程度をあらわすデータとの対応関係に基づいて、前記取得された注射処方データに含まれる複数の注射剤について、適切でない組み合わせが含まれるか否かを判定する判定手段をさらに備え、前記表示手段は、前記適切でない組み合わせと判定された注射剤については、その注射剤が適切でない程度をあらわす表示を表示することが好ましい。
これにより、混合作業を誤りなく適切に行うことが可能となる。
前記記憶手段には、注射剤を特定するデータとその注射剤の使用にあたり注意すべき事項との対応関係がさらに格納されており、前記表示手段は、前記複数の注射剤を特定するデータそれぞれに対応付けられた前記注射剤の使用にあたり注意すべき事項を表示することが好ましい。
これにより、注射剤を混合する際に、表示手段での表示内容に基づいて、注意事項を確認することができる。
前記表示手段は、次に混合すべき注射剤について、その注射剤の名称を区別させるための表示を表示することが好ましい。
前記注射剤混合支援装置において、次に混合しようとする注射剤を特定するためのデータを入力させる入力手段と、前記入力された注射剤を特定するためのデータと次に混合すべき注射剤を特定するためのデータとを比較する比較手段をさらに備え、前記表示手段は、前記比較結果が不一致であればその旨の表示を行うことが好ましい。
前記注射剤混合支援装置において、配合変化の記録を行うために操作する操作手段と、配合変化を記録する記録手段とをさらに備えることが好ましい。
この場合、前記操作手段が操作されると、前記記録手段は前記複数の注射剤の組み合わせにより配合変化が生じたことを記録することが好ましい。
また、前記操作手段が操作されると、前記複数の注射剤を特定するデータにより特定される注射剤の組み合わせにより生じる配合変化を混合結果フラグにセットすることが好ましい。
前記注射剤混合支援装置において、注射剤の組み合わせとその組み合わせが適切でない程度をあらわすデータとの対応関係を前記記憶手段に新たに登録するために操作する操作手段をさらに備えることが好ましい。
【手続補正３】
【補正対象書類名】明細書
【補正対象項目名】０００８
【補正方法】削除
【補正の内容】
【手続補正４】
【補正対象書類名】明細書
【補正対象項目名】０００９
【補正方法】削除
【補正の内容】
【手続補正５】
【補正対象書類名】明細書
【補正対象項目名】００１０
【補正方法】削除
【補正の内容】
【手続補正６】
【補正対象書類名】明細書
【補正対象項目名】００１１
【補正方法】削除
【補正の内容】
【手続補正７】
【補正対象書類名】明細書
【補正対象項目名】００１２
【補正方法】削除
【補正の内容】
【手続補正８】
【補正対象書類名】明細書
【補正対象項目名】００１３
【補正方法】削除
【補正の内容】
【手続補正９】
【補正対象書類名】明細書
【補正対象項目名】００１４
【補正方法】削除
【補正の内容】
【手続補正１０】
【補正対象書類名】明細書
【補正対象項目名】００１５
【補正方法】削除
【補正の内容】
【手続補正１１】
【補正対象書類名】明細書
【補正対象項目名】００１６
【補正方法】削除
【補正の内容】
【手続補正１２】
【補正対象書類名】明細書
【補正対象項目名】００７３
【補正方法】変更
【補正の内容】
【００７３】
【発明の効果】
以上の説明から明らかなように、本発明に係る注射剤混合支援装置によれば、患者に処方された複数の注射剤を特定するデータを含む注射処方データを取得する取得手段と、取得された注射処方データに含まれる複数の注射剤の適切な混合順序を決定する決定手段と、決定された混合順序をあらわす表示を表示する表示手段とを備えたので、混合順序の誤りを防止でき、混合作業効率を向上させることが可能となる。
【手続補正１３】
【補正対象書類名】明細書
【補正対象項目名】００７４
【補正方法】削除
【補正の内容】
【手続補正１４】
【補正対象書類名】明細書
【補正対象項目名】００７５
【補正方法】削除
【補正の内容】
【手続補正１５】
【補正対象書類名】明細書
【補正対象項目名】００７６
【補正方法】削除
【補正の内容】
【手続補正１６】
【補正対象書類名】明細書
【補正対象項目名】００７７
【補正方法】削除
【補正の内容】
【手続補正１７】
【補正対象書類名】明細書
【補正対象項目名】００７８
【補正方法】削除
【補正の内容】
【手続補正１８】
【補正対象書類名】明細書
【補正対象項目名】００７９
【補正方法】削除
【補正の内容】
【手続補正１９】
【補正対象書類名】明細書
【補正対象項目名】００８０
【補正方法】削除
【補正の内容】
【手続補正２０】
【補正対象書類名】明細書
【補正対象項目名】００８１
【補正方法】削除
【補正の内容】